(57)【要約】 【課題】確実に封印できるうえに、不正に開封された場合には、不正行為があったことを容易に発見できる遊技機の基板ケースを提供する。【解決手段】ケース本体１と、このケース本体２に横方向からスライドして装着される蓋体２とからなり、遊技用の回路基板が装着された遊技機の基板ケースにおいて、ケース本体１の一端には、蓋体２に向けて開く開口部３１を有する封止室３を設けて、この封止室３内に一対の係止爪４３を上下に対向させて、且つ、その先端を相互に接近させて配置する。蓋体２の一端には、開口部３１から封止室３内に差し込まれる嵌合部５を設けて、この嵌合部５に、係合孔６１を有する封止部材６を、係止爪４３との係合、非係合を切り替え可能にして挿着した。【選択図】図７
2009028059.tif 000002
【特許請求の範囲】
【請求項１】
ケース本体と、このケース本体に横方向からスライドして装着される蓋体とからなり、遊技用の回路基板が配設された遊技機の基板ケースにおいて、
ケース本体又は蓋体の一端には、相手の蓋体又はケース本体に向けて開く開口部を有する封止室を設けて、この封止室内に一対の係止爪を、上下に対向させて且つその先端を相互に接近させて配置したうえに、
相手の蓋体又はケース本体の一端には、前記開口部から封止室内に差し込まれる嵌合部を設けて、この嵌合部に、係合孔を有する封止部材を、係止爪との係合、非係合を切り替え可能にして挿着したことを特徴とする遊技機の基板ケース。
【請求項２】
嵌合部に挿込み凹部を設けて、この挿込み凹部に封止部材を、係止爪と不係合可能な垂直状態と、係止爪と係合可能な水平状態とに切り替え可能にして、挿着した請求項１に記載の遊技機の基板ケース。
【請求項３】
嵌合部に二つの挿込み凹部を、係止爪に対して前後に位置をずらして並設し、
後側の挿込み凹部を、水平状態で挿着された封止部材が係止爪と係合不可能に係止爪から離間させ、
前側の挿込み凹部を、水平状態で挿着された封止部材が係止爪と係合可能に係止爪に接近させた請求項１に記載の遊技機の基板ケース。
【請求項４】
嵌合部に挿込み凹部を設け、封止部材には、係止爪と係合可能な係合孔と係合不可能な切込み部とを設けて、
切込み部を係止爪に向けて挿込み凹部に水平状態で差し込んだ非係合状態と、
係合孔を係止爪に向けて挿込み凹部に水平状態で差し込んだ係合状態とに、切り替え可能とした請求項１に記載の遊技機の基板ケース。
【発明の詳細な説明】
【技術分野】
【０００１】
本発明は、回路基板を封印状態に収納するための遊技機の基板ケースに関するものである。
【背景技術】
【０００２】
パチンコ機やスロットマシンなどの遊技機においては、入賞確率が書き込まれたＲＯＭチップなどの電子部品を実装した回路基板が使われており、これら回路基板は、ケース本体とケース本体の開口部を覆う蓋体とからなる基板ケースに収納されている。基板ケースには、遊技者等がＲＯＭチップを交換して不当な利益を得ようとするのを防止するために、蓋体の開封を不可能とする封止機構が設けられている。
【０００３】
従来の封止機構を備えた基板ケースとして、例えば特許文献１に記載されたものが知られている。当該基板ケースは、ワンウェイタイプのネジからなる封印ビスによって蓋体の開封を不能に封止し、開封部を切断することによってこの封止の解除を可能とする封印部材を備えたものである。これらの封印部材は複数設けられていて、その個数分だけ繰り返し不正行為の検査を行った後、再度封止することが可能である。
【０００４】
しかしながら、上記した封止機構においては、ドライバーの先端に接着剤を塗布してネジと接着することでネジを緩めたり、ネジをドリルなどで破壊したりして基板ケースを開封することが可能であるため、封印の確実性において問題があった。また、これらのような方法で開封し内部のＲＯＭを不正なものと交換した後に、再度ネジを嵌め込むと一見しただけでは不正行為がなされたかどうか判断できないという問題もあった。
【０００５】
また、特許文献２には、封印ビスの代わりに係止爪を有する締結具でもって封止する構造の基板ケースが開示されている。しかし、この封止機構においては、係止爪が外側を向いているために、封止部分の側面に小さな孔を開けて係止爪を外側から押すことによって係止が解除されてしまうという問題があった。
【特許文献１】特開平１０−２１６３２４号公報
【特許文献２】特開２００６−１５００４４号公報
【発明の開示】
【発明が解決しようとする課題】
【０００６】
本発明は、上記した従来の問題点に鑑み、確実に封印できるうえに、不正に開封された場合には不正行為があったことを容易に発見できる遊技機の基板ケースを提供することを課題とする。
【課題を解決するための手段】
【０００７】
上記の課題を解決するためになされた本発明の遊技機の基板ケースは、ケース本体と、このケース本体に横方向からスライドして装着される蓋体とからなり、遊技用の回路基板が配設された遊技機の基板ケースにおいて、
ケース本体又は蓋体の一端には、相手の蓋体又はケース本体に向けて開く開口部を有する封止室を設けて、この封止室内に一対の係止爪を、上下に対向させて且つその先端を相互に接近させて配置したうえに、
相手の蓋体又はケース本体の一端には、前記開口部から封止室内に差し込まれる嵌合部を設けて、この嵌合部に、一端に係合孔を備えた封止部材を、係止爪との係合、非係合を切り替え可能にして挿着したことを特徴とするものである。
【０００８】
上記した発明において、嵌合部に挿込み凹部を設けて、この挿込み凹部に封止部材を、係止爪と係合不可能な垂直状態と、係止爪と係合可能な水平状態とに切り替え可能にして、挿着することができる。
【０００９】
また、嵌合部に二つの挿込み凹部を、係止爪に対して前後に位置をずらして並設し、
後側の挿込み凹部を、水平状態で挿着された封止部材が係止爪と係合不可能に係止爪から離間させ、
前側の挿込み凹部を、水平状態で挿着された封止部材が係止爪と係合可能に係止爪に接近させることができる。
【００１０】
さらに、嵌合部に挿込み凹部を設け、封止部材には、係止爪と係合可能な係合孔と係合不可能な切込み部とを設けて、
切込み部を係止爪に向けて挿込み凹部に水平状態で差し込んだ非係合状態と、
係合孔を係止爪に向けて挿込み凹部に水平状態で差し込んだ係合状態とに、切り替え可能とすることができる。
【発明の効果】
【００１１】
請求項１に係る発明は、封止状態では係止爪と封止部材とは封止室の壁面及び嵌合部で覆われているので、外部から係止爪や封止部材に触れようとすれば、その不正行為の痕跡は必ず封止室又は嵌合部に残ることとなる。よって、痕跡の発見が容易である。さらに、係止爪が上下に対向し且つ先端を相互に接近させて配設されているので、係止爪の押圧により封止の解除が不可能である。よって、封印を確実に行うことができる。
【００１２】
請求項２に係る発明は、封止部材を垂直向きの非係合状態として、挿込み凹部に備えておくことができる。この状態では封止部材がアンロックであることを容易に視認できる。また、水平状態として挿込み凹部に挿し込むことによって、封止作業を容易に行うことができる。さらに、封止室を小さくできるので、基板ケース全体を小さいものとすることができる。
【００１３】
請求項３に係る発明は、封止部材を後側の挿込み凹部に挿着して、係止爪と非係合状態として備えておくことができるので、封止作業が容易である。この状態では、封止部材がアンロックであることを容易に視認できる。また、封止部材を前側の挿込み凹部に挿着して開口に差し込むだけで容易に基板ケースを封印することができる。
【００１４】
請求項４に係る発明は、切込み部を係止爪側として封止部材を挿込み凹部に差し込んで、封止部材を係止爪との係合を不可能として備えておくことができるので、封止作業が容易である。さらに、封止部材を反転させて挿着した後に開口に差し込むだけで容易に基板ケースを封印することができる。
【発明を実施するための最良の形態】
【００１５】
以下に、本発明の実施形態を図に基づき説明する。
図１は、第１の実施形態である基板ケースを示す図であって、１はケース本体、２は、ケース本体１に横方向にスライドして装着される相手の蓋体である。ケース本体１は、一端に封止室３が形成され、その反対側は側壁のない蓋体挿通部１１となしてある。側壁１２の内面には鈎部１３が設けられている。封止室３には蓋体挿通部１１に向けて開く開口部３１が形成され、また、下側には、成形金型の抜き方向の関係上形成された型抜き口３２が形成されている。そして、封止室３の内部には爪部材４が接着や圧入等により固定して配置されている（図３〜５）。ケース本体１は、底面１４が螺着、係止などされることによって遊技板裏面に固定される。
【００１６】
蓋体２の一端には、封止室３に向けて突出する嵌合部５が形成されている。この嵌合部５は封止室３に嵌め込まれたときに、型抜き口３２を塞ぐことが可能な底板５３を有している。底板５３の先端は、差し込み容易なように面取りされている。
嵌合部５には、封止部材６が着脱可能な挿込み凹部５１が上向きに形成されている（図１）。封止部材６は不使用時には挿込み凹部５１に上向きの垂直状態で挿着されるが、使用時には封止室３に向けて水平状態で挿着される（図２）。嵌合部５は、切断用の薄肉部５２を介して蓋体２に設けられている。また、蓋体２の他端には、鈎部１３に差し込まれる突片２１が設けられている。
【００１７】
蓋体２の幅はケース本体１の側壁１２内を摺動可能に形成してあるので、ケース本体１に対して蓋体２をスライド移動させることができる。スライド操作して突片２１を鈎部１３に差し込むことによって、蓋体３の上下方向の移動を規制することができる。また、嵌合部５を、開口部３１から封止室３内に嵌合部５を差し込むことによっても、蓋体３の上下方向の移動を規制することができる。なお、型抜き口３２は嵌合部５の底板５３によって掩蔽されている。
【００１８】
爪部材４は横断面コの字状であって、基部４５と反対側の部位に、使用時に嵌合部５先端が差し込まれるように開口した挿通部４１が形成されている（図４、５）。爪部材４は上下に孔部４２が設けられ、この孔部４２に係止爪４３が上下に対向して設けられている。二つの係止爪４３は、挿通部４１とは逆向きに突出し、その先端が相互に接近している。基部４５と係止爪４３先端の間には、後述する係止棒６７が入り込むための隙間４６が設けられている。
【００１９】
封止部材６は、一端に係止爪４３との係合孔６１を有し、先端が係止棒６７となしてある（図１）。封止部材６の基部６２は、封止部材６が上向きの垂直状のときも封止室３向きの水平状のときも、挿込み凹部５１に対して上方から嵌着できる角形の形状となっている。挿込み凹部５１も基部６２に対応する角形の箱状に形成されている。封止部材６を上向きとして挿込み凹部５１に挿着したときには係止爪４３と封止部材６とは係合不可能な状態である。一方、図６に示すように、封止部材６を水平状として挿込み凹部５１に挿着したときには係止爪４３と封止部材６とは係合可能な状態である。よって、封止部材６を、係止爪４３との係合、非係合を切り替えて嵌合部５の挿込み凹部５１に挿着することができる。なお、図６の状態において、封止部材６の下方には、爪部材４の下側部分が入り込み可能な隙間６４が形成されている。
【００２０】
封止部材６の先端の係止棒６７は、挿通部４１と同等の厚みで係止爪４３間を通過可能に形成されているので、図３に示すケース本体１に対して図６に示す蓋体２をスライドさせて差し込めば、図７、８のように、両者は合体される。この状態においては、封止室３に嵌合部５が差し込まれ、鈎部１３に突片２１が差し込まれているので、蓋体２を上方に移動させることはできない。また、係止爪４３の先端が封止部材６の係合孔６１に入り込んで、封止部材６の係止棒６７は係止爪４３によって係止されているので、蓋体２を逆方向にスライドさせることはできない。よって、蓋体２は前後方向の移動も規制されることとなって、基板ケースを完全に封止することができる。検査において封止を解除する必要が生じた場合には、薄肉部５２を切断せねばならない。
【００２１】
なお、図９に示すように、通常はケース本体１側に封止室３が４個、蓋体２側に嵌合部５が４個設けられていて、４回の封止と解除とを繰り返すことができる。これらのケース本体１、蓋体２、封止室３、爪部材４、嵌合部５、封止部材６を透明又は半透明樹脂製のものとすることによって、内部の構造や封止状態を視認することができる。図中の９は、保護される回路基板である。
【００２２】
また、上記の実施形態とは逆に、ケース本体１に嵌合部５を設け、蓋体２に封止室３を設けることもできる。すなわち、ケース本体１の一端に壁を立設し、この壁から薄肉部５２を介して内向きに嵌合部５を設ける。一方、蓋体２の先端には、嵌合部５に向けて開口する封止室３を設けることによっても、ケース本体１に蓋体２を封止することができる。
【００２３】
図１０には第２の実施形態の基板ケースの要部を示す。この形態においても、封止室３の内部構造は第１の実施形態と同じであるが、嵌合部５の構造が若干異なる。すなわち、嵌合部５には、二つの挿込み凹部５１ａ、５１ｂが、封止室３内の係止爪４３の方向に対して前後に位置をずらして並設されている。それぞれの挿込み凹部５１ａ、５１ｂは封止部材６を水平状態で挿着可能である。後側（薄肉部５２側）の挿込み凹部５１ａは、水平状態で挿着された封止部材６が係止爪４３と係合不可能に係止爪４３から離間されており、前側（封止室３側）の挿込み凹部５１ｂは、水平状態で挿着された封止部材６が係止爪４３と係合可能に係止爪４３に接近させて設けられている。
【００２４】
封止部材６の一端に係止爪４３との係合孔６１を有し、先端が係止棒６７となしてある。封止部材６の基部６２は、挿込み凹部５１に嵌着可能に角形に形成されている。この封止部材６の基部６２を、後側の挿込み凹部５１ａに水平状態で嵌め込んだときには、封止室３に嵌合部５を差し込んでも、係合孔６１が係止爪４３の先端に達することができないので、封止部材６と係止爪４３との係合は不可能である。よって、ケース本体１を蓋体２で封印することはできない。しかし、封止部材６の基部６２を、前側の挿込み凹部５１ｂに水平状態で嵌め込んだうえ、封止室３に嵌合部５を差し込んだときには、係合孔６１は係止爪４３先端に到達可能となるので、係止棒６７は係止爪４３と係合することができる。よって、ケース本体１を蓋体２で封印することができる。
【００２５】
図１１には第３の実施形態の基板ケースの要部を示す。この形態においても、封止室３の内部構造は第１の実施形態と同じであるが、嵌合部５の構造が若干異なる。すなわち、嵌合部５には、一つの挿込み凹部５１が設けられている。
【００２６】
封止部材６は、挿込み凹部５１に水平状態で嵌着可能な、角形の基部６２と角形の突部６３とを両端に有している。基部６２の先端は係止棒６７となしてあり、基部６２よりの端部には係合孔６１が設けられ、突部６３よりの端部には先端が開口する切込み部６５が設けられている。挿込み凹部５１に基部６２を嵌め込んだときには、切込み部６５が係止爪４３の先端に達するが、切込み部６５は開口されていて係止爪４３を係止することができないので、ケース本体１を蓋体２で封印することはできない。しかし、突部６３を挿込み凹部５１に嵌め込んだときには、係止棒６７が係止爪４３と係合可能となるので、ケース本体１を蓋体２で封印することができる。
【００２７】
なお、封止部材６の形状は、係止爪４３との係合、非係合とを切り替えて挿込み凹部５１に挿着することができるものであれば、上記した実施形態に特に限定されるものではない。
また、各実施例を比較した場合、実施例１では、封止部材６を同じ差込み凹部５１に垂直状態又は水平状態に切替えて装着するため基板ケースのスライド方向の長さが短くなり、且つ封止部材６にも余分な切込みがないため強度的に優れているという利点がある。実施例２では、封止部材６を後側の挿込み凹部５１ａと前側の挿込み凹部５１ｂとに切替えて装着するので高さが低く抑えられ、且つ封止部材６にも余分な切込みがないため強度的に優れているという利点がある。実施例３では、封止部材６の向きを切替えて挿込み凹部５１に装着するため基板ケースのスライド方向の長さが短くなるという利点がある。
【図面の簡単な説明】
【００２８】
【図１】封止部材を脱着した第１の実施形態の基板ケースの斜視図である。
【図２】封止部材を挿着した基板ケースの斜視図である。
【図３】ケース本体の断面図である。
【図４】爪部材の斜視図である。
【図５】爪部材の側面図である。
【図６】蓋部材の断面図である。
【図７】基板ケースの断面図である。
【図８】基板ケースの斜視図である。
【図９】基板ケースの斜視図である。
【図１０】第２の実施形態の基板ケースの要部斜視図である。
【図１１】第３の実施形態の基板ケースの要部斜視図である。
【符号の説明】
【００２９】
１  ケース本体、２  蓋体、３  封止室、５  嵌合部、６  封止部材、３１  開口部、４３  係止爪、
【図１】
2009028059.tif 000003
【図２】
2009028059.tif 000004
【図３】
2009028059.tif 000005
【図４】
2009028059.tif 000006
【図５】
2009028059.tif 000007
【図６】
2009028059.tif 000008
【図７】
2009028059.tif 000009
【図８】
2009028059.tif 000010
【図９】
2009028059.tif 000011
【図１０】
2009028059.tif 000012
【図１１】
2009028059.tif 000013